(57)【要約】【課題】挿入性、シール性および飛び出し防止性に優れる目地ガスケットを提供する。【解決手段】ガスケット本体（１１）と、ガスケット本体（１１）における屋外側の端部から２つの外壁パネル（１）に向けて延伸する、目地（２）をシールするための第１リップ部（１２）と、を備え、ガスケット本体（１１）における屋内側には、２つの外壁パネル（１）に向けて延伸する第３リップ部（１４）が設けられており、第３リップ部（１４）は、目地ガスケット（１０）が目地（２）に配置された状態において、弾性変形して外壁パネル（１）の側面（ＳＵＦ１）に接触するシールリップ部（１４ａ）と、外壁パネル（１）の裏面（ＳＵＦ２）よりも屋内側に配置される屋内側リップ部（１４ｂ）と、を有している。【選択図】図１
2020020255.tif 000002
【特許請求の範囲】
【請求項１】
互いに隣り合う２つの外壁パネルの間に形成される目地に配置され、
ガスケット本体と、
前記ガスケット本体における屋外側の端部から前記２つの外壁パネルに向けて延伸する、前記目地をシールするためのシール部と、を備えた目地ガスケットであって、
前記ガスケット本体における屋内側には、前記２つの外壁パネルに向けて延伸するリップ部が設けられており、
前記リップ部は、
前記目地ガスケットが前記目地に配置された状態において、弾性変形して前記外壁パネルの側面に接触するシールリップ部と、
前記外壁パネルの裏面よりも屋内側に配置される屋内側リップ部と、を有していることを特徴とする目地ガスケット。
【請求項２】
前記屋内側リップ部の長さが、前記シールリップ部の長さよりも短いことを特徴とする請求項１に記載の目地ガスケット。
【請求項３】
前記屋内側リップ部の肉厚が、前記シールリップ部の肉厚と比較して同等、または前記シールリップ部の肉厚よりも厚いことを特徴とする請求項１または２に記載の目地ガスケット。
【請求項４】
前記ガスケット本体と、前記リップ部とのなす角が直角以下であることを特徴とする請求項１から３までの何れか１項に記載の目地ガスケット。
【請求項５】
前記シールリップ部と、前記屋内側リップ部とのなす角が直角以下であることを特徴とする請求項１から４までの何れか１項に記載の目地ガスケット。
【発明の詳細な説明】
【技術分野】
【０００１】
本発明は、互いに隣り合う２つの外壁パネルの間に形成される目地に配置される目地ガスケットに関する。
【背景技術】
【０００２】
従来、互いに隣り合う２つの外壁パネルの間に形成される目地から建物内部に風雨などが浸入することを防ぎ、かつ、建物の外観を良好に保つために、乾式の目地ガスケットが用いられる。目地ガスケットは、例えばポリ塩化ビニル等の水密性および弾性を有する材料で構成され、目地幅よりもやや幅広の断面形状を有し、目地に沿って延伸する長手形状であって、屋外側から目地に配置して固定するものである。
【０００３】
特許文献１には、目地ガスケットの一例である目地材１００が開示されている。この目地材１００は、ゴムその他の柔軟材からなり、図５に示すように、一対のひれ片１０２，１０３を備えている。これらのひれ片は、目地２への挿入時に弾性変形し、各ひれ片の端部は外壁パネル１の側面ＳＵＦ１に密着する。これにより、目地材１００は目地２をシールする。
【０００４】
また、目地２の奥には、目地材１００を保持する金属性の目地材保持具１０４が配置されている。目地材保持具１０４は、折曲部１０４ａが、ひれ片１０３の先端の内側に嵌るようにして、目地材１００を外側から嵌着している。これにより、目地材１００は、目地材保持具１０４に保持される。また、目地材保持具１０４の折曲部１０４ｂは、外壁パネル１の側面ＳＵＦ１と裏面ＳＵＦ２との角部に当接することで、目地材保持具１０４（目地材１００）の屋外側の飛び出しを防止している。
【先行技術文献】
【特許文献】
【０００５】
【特許文献１】特開平０５−１４８９１６号公報（１９９３年６月１５日公開）
【発明の概要】
【発明が解決しようとする課題】
【０００６】
しかしながら、上記特許文献１に開示された目地ガスケットは、目地材１００と目地材保持具１０４との２部材構成であり、目地材保持具１０４は金属性であるため、目地材１００の挿入性が悪くなるという問題点がある。
【０００７】
また、目地材保持具１０４は、目地２を一連にカバーしている目地材１００の長尺方向に部分的に複数配置されているため、目地材保持具１０４が存在しない箇所では、ひれ片１０３が外壁パネル１の側面ＳＵＦ１に密着してシールするものの、目地材保持具１０４との境目では、シールしていたひれ片１０３の先端が、側面ＳＵＦ１から離間して目地材保持具１０４へ乗り上げる。この境目に発生する段差にひれ片１０３が追従しきれず、隙間が発生する恐れがあるため、シール性に懸念がある。
【０００８】
本発明の一態様は、挿入性、シール性および飛び出し防止性に優れる目地ガスケットを提供することを目的とする。
【課題を解決するための手段】
【０００９】
上記の課題を解決するために、本発明の一態様に係る目地ガスケットは、互いに隣り合う２つの外壁パネルの間に形成される目地に配置され、ガスケット本体と、前記ガスケット本体における屋外側の端部から前記２つの外壁パネルに向けて延伸する、前記目地をシールするためのシール部と、を備えた目地ガスケットであって、前記ガスケット本体における屋内側には、前記２つの外壁パネルに向けて延伸するリップ部が設けられており、前記リップ部は、前記目地ガスケットが前記目地に配置された状態において、弾性変形して前記外壁パネルの側面に接触するシールリップ部と、前記外壁パネルの裏面よりも屋内側に配置される屋内側リップ部と、を有している構成である。
【発明の効果】
【００１０】
本発明の一態様によれば、挿入性、シール性および飛び出し防止性に優れる目地ガスケットを提供することができるという効果を奏する。
【図面の簡単な説明】
【００１１】
【図１】（ａ）は、本発明の実施の第１形態に係る目地ガスケットの横断面の構造を示す断面図であり、（ｂ）は、上記目地ガスケットを目地に配置したときの状態の一例を示す断面図であり、（ｃ）は、上記目地ガスケットを目地に配置したときの状態の別の例を示す断面図である。
【図２】上記目地ガスケットの横断面の構造を示す断面図である。
【図３】（ａ）は、比較例の目地ガスケットの横断面の構造を示す断面図であり、（ｂ）は、上記目地ガスケットを目地に配置したときの状態の一例を示す断面図であり、（ｃ）は、上記目地ガスケットを目地に配置したときの状態の別の例を示す断面図である。
【図４】（ａ）は、目地ガスケットの目地に対する保持力の検証方法を示す図であり、（ｂ）は、比較例および本発明の実施の第１形態の実施例に係る上記保持力の検証結果を示す図である。
【図５】従来の目地ガスケットの横断面の構造を示す断面図である。
【図６】（ａ）は、本発明の実施の第２形態に係る目地ガスケットの横断面の構造を示す断面図であり、（ｂ）は、上記目地ガスケットを目地に配置したときの状態の一例を示す断面図である。
【発明を実施するための形態】
【００１２】
〔実施の第１形態〕
＜目地ガスケットについて＞
以下、図１および図２に基づき、本発明の実施の第１形態に係る目地ガスケット１０について説明する。目地ガスケット１０は、住宅等の建物の互いに隣り合う２つの外壁パネル１の間に形成される目地２に配置されて、屋外から外壁パネル１の屋内側に風雨が浸入することを防ぎ、かつ、建物外壁の外観の意匠性を向上させる目地材である。なお、本願の図において、紙面に対して「上側」が「屋外側」に対応し、紙面に対して「下側」が「屋内側」に対応する。
【００１３】
目地ガスケット１０の成形材料としては、合成ゴムまたはＴＰＥ（熱可塑性エラストマー）等のゴム様弾性体が用いられる。合成ゴムでは、ＥＰＤＭ（エチレンプロピレンジエン共重合ゴム）等が、ＴＰＥ（熱可塑性エラストマー）では、ＴＰＯ（オレフィン系熱可塑性エラストマー）またはＴＰＳ（スチレン系熱可塑性エラストマー）等が、用いられる。また、使用する弾性体は、発泡材でも良いし、非発泡材でも良い。
【００１４】
図１の（ａ）は、目地ガスケット１０を延伸方向に対して垂直に切断したときの横断面の構造を示す。なお、目地ガスケット１０は紙面に対して手前側から奥側に向けて延伸している。図１の（ａ）に示すように、目地ガスケット１０は、ガスケット本体１１、一対の第１リップ部（シール部）１２、一対の第２リップ部１３、および一対の第３リップ部（リップ部）１４を備える。なお、本実施形態の目地ガスケット１０は、合計３対のリップ部を備えているが、目地ガスケット１０が備えるリップ部の数は、２対以上であれば良い。
【００１５】
ガスケット本体１１は、目地２の幅よりも細く形成された、断面矩形の屋内外方向に延伸する支柱である。第１リップ部１２は、目地２をシールするための部材であり、ガスケット本体１１における屋外側の端部から２つの外壁パネル１に向けて延伸している。第１リップ部１２の一端から他端までの長さは、目地２の幅よりも長くなっている。
【００１６】
第１リップ部１２は、目地ガスケット１０が目地２に配置された状態において、弾性変形して外壁パネル１の側面ＳＵＦ１に接触する。これにより、目地２がシールされる。第１リップ部１２の肉厚は付け根側から端部に向うにつれて徐々に薄くなっている。これにより、目地ガスケット１０を目地２に挿入する際に、第１リップ部１２の端部がしなやかに弾性変形するため、目地ガスケット１０の挿入性が向上する。また、第２リップ部１３は、ガスケット本体１１の中間部付近から２つの外壁パネル１に向けて延伸している。第２リップ部１３の一端から他端までの長さは、目地２の幅よりも長くなっている。
【００１７】
第２リップ部１３は、目地ガスケット１０が目地２に配置された状態において、弾性変形して外壁パネル１の側面ＳＵＦ１に接触する。これにより、目地２のシール性が向上する。第２リップ部１３の肉厚は付け根側から端部に向うにつれて徐々に薄くなっている。これにより、目地ガスケット１０を目地２に挿入する際に、第２リップ部１３の端部がしなやかに弾性変形するため、目地ガスケット１０の挿入性が向上する。
【００１８】
また、第３リップ部１４は、ガスケット本体１１における屋内側の端部に設けられており、第３リップ部１４は、上記端部から２つの外壁パネル１に向けて延伸している。第３リップ部１４の一端から他端までの長さは、目地２の幅よりも長くなっている。
【００１９】
第３リップ部１４は、その先端付近が、シールリップ部１４ａおよび屋内側リップ部１４ｂの２つのリップ部に枝分かれしている（二股になっている）。すなわち、第３リップ部１４は、シールリップ部１４ａおよび屋内側リップ部１４ｂの２つのリップ部を有している。シールリップ部１４ａおよび屋内側リップ部１４ｂの肉厚は付け根側から端部に向うにつれて徐々に薄くなっている。
【００２０】
目地ガスケット１０を構成する各部は、同一（単一）の材質で全て一体成形されたものであっても良く、このように構成する場合、製造工程を簡単にすることができる。また、ガスケット本体１１を他の部分よりも硬質の材料で構成することで、ガスケット本体１１が不必要に撓むことを防止する構成にしても良い。
【００２１】
図１の（ｂ）および（ｃ）に示すように、シールリップ部１４ａは、目地ガスケット１０が目地２に配置された状態において、弾性変形して外壁パネル１の側面ＳＵＦ１に接触する。シールリップ部１４ａと外壁パネル１の側面ＳＵＦ１との接触は、目地２の防水性が担保される程度に接触していれば良く、必ずしもシールリップ部１４ａの屋内側の側面の全面が接触する必要はない。これにより、目地２のシール性がより向上する。
【００２２】
また、図１の（ｂ）および（ｃ）に示すように、屋内側リップ部１４ｂは、目地ガスケット１０が目地２に配置された状態において、外壁パネル１の裏面ＳＵＦ２よりも屋内側に配置されている。
【００２３】
図１の（ｂ）に示す状態では、屋内側リップ部１４ｂの端部は、外壁パネル１の裏面ＳＵＦ２と接触せずに離れている。一方、図１の（ｃ）に示す状態では、屋内側リップ部１４ｂの端部は、外壁パネル１の裏面ＳＵＦ２と弾接している。ここで、屋内側リップ部１４ｂが裏面ＳＵＦ２よりも屋内側に配置されている状態とは、上記の屋内側リップ部１４ｂの端部が裏面ＳＵＦ２に接触していない状態と、屋内側リップ部１４ｂの端部が裏面ＳＵＦ２に弾接している状態と、の両方の状態を含む概念である。
【００２４】
目地ガスケット１０によれば、目地ガスケット１０が目地２に配置された状態で、第３リップ部１４のシールリップ部１４ａが外壁パネル１の側面ＳＵＦ１に接触する。このため、目地ガスケット１０のシール性はより向上する。すなわち、目地ガスケット１０は、目地ガスケット１０が目地２に配置された状態で、第１リップ部１２、第２リップ部１３およびシールリップ部１４ａの３つのリップ部が外壁パネル１の側面ＳＵＦ１に接触することで、優れたシール性を有している。
【００２５】
また、目地ガスケット１０を目地２に挿入する過程において、第３リップ部１４のシールリップ部１４ａは、その端部を屋外側に向けてしなやかに弾性変形する。また、屋内側リップ部１４ｂの端部の外壁パネル１の側面ＳＵＦ１への接触に連動して、シールリップ部１４ａの端部はガスケット本体１１へ近づき、外壁パネル１の側面ＳＵＦ１に接触しないか、または、たとえ接触したとしても接触圧が小さくなる。このため、シールリップ部１４ａのシール性を確実とするためシールリップ部１４ａをある程度長くしたとしても、目地ガスケット１０の挿入性は優れる。
【００２６】
また、目地ガスケット１０が目地２に配置された状態で、目地ガスケット１０に対する屋外側への力（経年での飛び出しに影響する力）に対して、第３リップ部１４の屋内側リップ部１４ｂの端部が、外壁パネル１の裏面ＳＵＦ２に当接することで抵抗力が働き、目地ガスケット１０の屋外への飛び出しが抑制される。このため、目地ガスケット１０は飛び出し防止性に優れる。
【００２７】
＜目地ガスケットの特徴的な構造について＞
次に、図２に示すように、屋内側リップ部１４ｂの長さＬ２は、シールリップ部１４ａの長さＬ１よりも短いことが好ましい。これにより、外壁パネル１の裏面ＳＵＦ２への屋内側リップ部１４ｂの端部の引っ掛かりが強くなるため、目地ガスケット１０の飛び出し防止性をより向上させることができる。また、上述した、目地へ挿入する際の第３リップ部１４の動作のとおり、屋内側リップ部１４ｂの先端が外壁パネル１の裏面ＳＵＦ２へ到達し、第３リップ部１４が外壁パネル１の側面ＳＵＦ１の間に挟まれた状態から開放されて広がる際、シールリップ部１４ａは側面ＳＵＦ１と接触する位置、つまり屋内側リップ部１４ｂより屋外側に位置している必要があり、この観点からも屋内側リップ部１４ｂの長さＬ２は、シールリップ部１４ａの長さＬ１よりも短いことが好ましい。
【００２８】
また、屋内側リップ部１４ｂの肉厚（厚さｄ２）は、シールリップ部１４ａの肉厚（厚さｄ１）よりも厚いことが好ましい。これにより、外壁パネル１の裏面への屋内側リップ部１４ｂの端部の引っ掛かりが強くなるため、目地ガスケット１０の飛び出し防止性をより向上させることができる。また、弾接によるシール性が要求されるシールリップ部１４ａは、柔軟さがある程度に薄肉である方が望ましい。
【００２９】
次に、ガスケット本体１１と、第３リップ部１４とのなす角（角度θ１）は、直角以下であって、鋭角であることが好ましい。これにより、ガスケット本体１１と第３リップ部１４とのなす角が直角以下以外の場合と比較して、目地ガスケット１０の挿入性をより向上させることができる。また、屋内側リップ部１４ｂの端部が外壁パネル１の裏面ＳＵＦ２に引っ掛かりやすくなる。そして、シールリップ部１４ａと、屋内側リップ部１４ｂとのなす角（角度θ２）は、直角以下であって、鋭角であることが好ましい。これにより、目地ガスケット１０を目地２へ挿入しやすくなり、また、屋内側リップ部１４ｂの端部が、外壁パネル１の裏面ＳＵＦ２に引っ掛かり易くなるため、目地ガスケット１０の飛び出し防止性をより向上させることができる。
【００３０】
目地ガスケット１０を目地２に挿入する際には、本体部と突起部とで断面Ｔ字型を為す施工治具を用いる。該施工器具の例としては、例えば、特開２０１６−３５１５５に開示される図４等に記載の施工治具を用いることができる。突起部の高さを適切に設定した施工治具を用いることで目地ガスケット１０の奥行き方向の位置を規制することができ、設計通りの納まり（屋内側リップ部１４ｂのみ裏面ＳＵＦ２の下側に抜ける）を実現できる。外壁パネル１と施工治具の本体部とが干渉することで、目地ガスケット１０は、施工治具の突起部の寸法以上、屋内側に落ち込まない。このため、シールリップ部１４ａを含む第３リップ部１４全体が室内側へ落ち込むことを防止することができる。
【００３１】
＜比較例の目地ガスケットについて＞
図３の（ａ）に示すように、比較例の目地ガスケット２０は、ガスケット本体２１、一対の第１リップ部２２、一対の第２リップ部２３、および一対の第３リップ部２４を備える。本比較例の目地ガスケット２０は、第３リップ部２４が２つのリップ部に枝分かれしていない点で、目地ガスケット１０と異なっている。第３リップ部２４は、目地ガスケット２０が目地２に配置された状態において、外壁パネル１の裏面ＳＵＦ２よりも屋内側に配置されている。
【００３２】
図３の（ｂ）に示す状態では、第３リップ部２４の端部は、外壁パネル１の裏面ＳＵＦ２と接触していない。一方、図３の（ｃ）に示す状態では、第３リップ部２４の端部は、外壁パネル１の裏面ＳＵＦ２と弾接している。
【００３３】
図３の（ｃ）に示すように、第３リップ部２４が枝分かれしていない場合、目地ガスケット２０に対して屋外側に飛び出す方向の力が加わると、第３リップ部２４の端部が外壁パネル１の裏面ＳＵＦ２と弾接し干渉することで、一旦は屋外側への飛び出しを防止するものの、第３リップ部２４の端部は簡単に屋内方向へ撓んでしまい、第３リップ部２４の端部は湾曲する。このため、目地ガスケット２０は、目地ガスケット１０と比較して、屋外側に飛び出し易い。
【００３４】
一方、図１の（ｂ）に示すように、目地ガスケット１０では、シールリップ部１４ａと屋内側リップ部１４ｂとの二股の間が、外壁パネル１の側面ＳＵＦ１と裏面ＳＵＦ２との角部に引っかかる。目地ガスケット１０に屋外側に飛び出す方向の力が加わったとき、屋内側リップ部１４ｂの端部は屋内方向へ撓むが、シールリップ部１４ａが側面ＳＵＦ１と干渉し、屋内側リップ部１４ｂの端部の屋内方向への撓みが抑制される。このため、目地ガスケット１０は、目地ガスケット２０と比較して、屋外側に飛び出しにくくなる。
【００３５】
＜目地ガスケットの目地に対する保持力の検証方法と検証結果について＞
目地ガスケットの目地に対する保持力の検証を、実製品の５倍尺の模型で行った。具体的に、実製品の断面寸法を５倍に拡大した目地ガスケットの断面形状を、厚さ１５ｍｍのゴム板から切り抜き、切抜き後に得られたゴム板を、実寸法の５倍に拡大した目地構造の模型へ組み付けた。その後、図４の（ａ）に示すように、第１リップ部の付け根にプッシュプルゲージのフックを掛けて引張り、最大荷重を測定することで行った。プッシュプルゲージは、押したり引っ張ったりする力を測定するための器具である。プッシュプルゲージは、フォースゲージと呼ばれることもある。
【００３６】
図４の（ｂ）に示すように、比較例の目地ガスケット２０と実施例の目地ガスケット１０とで目地に対する保持力の検証を行った。比較例の目地ガスケット２０と、実施例の目地ガスケット１０は、ほぼ同じサイズである。ただし、比較例の目地ガスケット２０における第３リップ部２４の有する形状と、実施例における第３リップ部１４の形状とが相違しており、実施例の第３リップ部１４の先端は屋内側リップ部１４ｂとシールリップ部１４ａとに枝分かれしている。
【００３７】
目地に対する保持力の検証は、比較例と実施例の目地ガスケットにおいて標準とした実寸の目地幅９．０ｍｍについて行った。本検証では、実製品の５倍尺の模型、即ち、目地幅が４５．０ｍｍの模型を用いて検証した。
【００３８】
比較例の目地ガスケット２０の目地に対する保持力は、１０Ｎ（ニュートン）であったのに対し、実施例の目地ガスケット１０の目地に対する保持力は８０Ｎ以上となった。但し、８０Ｎ以上の測定は不可能であった。
【００３９】
次に、目地幅を狭めた場合と広げた場合についても検証したが、比較例の目地ガスケット２０の目地に対する保持力は、実施例の目地ガスケット１０の目地に対する保持力に到底およばなかった。以上の検証結果より、実施例の目地ガスケット１０の方が、比較例の目地ガスケット２０よりも目地に対する保持力が大きいことが分かる。これにより、目地ガスケット１０の方が目地ガスケット２０よりも飛び出し防止性に優れることが検証された。
【００４０】
〔実施の第２形態〕
次に、図６に基づき、本発明の実施の第２形態に係る目地ガスケット３０について説明する。なお、説明の便宜上、本発明の実施の第１形態にて説明した部材と同じ機能を有する部材については、同じ符号を付記し、その説明を繰り返さない。
【００４１】
図６の（ａ）および（ｂ）に示すように、目地ガスケット３０は、第３リップ部１４の根元付近が、シールリップ部１４ａおよび屋内側リップ部１４ｂの２つのリップ部に枝分かれしている。また、目地ガスケット３０は、屋内側リップ部１４ｂの肉厚（厚さｄ２）が、シールリップ部１４ａの肉厚（厚さｄ１）と同等になっている。
【００４２】
さらに、図６の（ａ）に示すように、目地ガスケット３０は、ガスケット本体１１における屋内側の端部の端面ＳＵＦ３が、ガスケット本体１１の矩形部分における該ガスケット本体１１の延伸方向の断面（不図示）よりも幅広になっている。屋内側リップ部１４ｂの屋内側の側面ＳＵＦ４は、端面ＳＵＦ３から連続して形成されている。
【００４３】
上述の通り、目地ガスケット３０は、第３リップ部１４が根元付近で枝分かれしており、かつ、厚さｄ１と厚さｄ２とが同等であることから、目地ガスケット３０の目地２への挿入時に転びを発生し難くすることができる。「転び」とは、目地ガスケット３０の目地２への挿入時に、ガスケット本体１１が目地２に対して傾くなどの現象を指す。
【００４４】
つまり、目地ガスケット３０を目地２に挿入し始めてから屋内側リップ部１４ｂが外壁パネル１の裏面ＳＵＦ２よりも屋内側に配置されるまでの過程において、シールリップ部１４ａのみならず、屋内側リップ部１４ｂ自体も屋内側から屋外側に向けて撓む。このとき、目地ガスケット３０は、外壁パネル１の側面ＳＵＦ１（図６の（ｂ）参照）に対して両リップ部の屋内側の側面または端部が接触しながら、屋外側から屋内側に向けて移動する。
【００４５】
ここで、第３リップ部１４が根元付近で枝分かれしていることから、上記の移動の際、シールリップ部１４ａと屋内側リップ部１４ｂとが側面ＳＵＦ１と屋内外方向に広がって接触するため、ガスケット本体１１の屋内側の端部が位置規制される。そのため、目地ガスケット３０の目地２への挿入時において、ガスケット本体１１の目地２の内部における位置を安定させることができ、ひいては転びを発生し難くすることができる。
【００４６】
このように、シールリップ部１４ａの厚さｄ１と屋内側リップ部１４ｂの厚さｄ２とが同等になっていると、屋内側リップ部１４ｂ自体も撓み易くなる。そのため、目地ガスケット３０の目地２への挿入時において、シールリップ部１４ａと屋内側リップ部１４ｂとが側面ＳＵＦ１と屋内外方向に広がって接触し、ガスケット本体１１の目地２の内部における位置が安定化する。
【００４７】
また、上述の通り、目地ガスケット３０は、端面ＳＵＦ３がガスケット本体１１の矩形部分の断面よりも幅広になっており、かつ、端面ＳＵＦ３と側面ＳＵＦ４とが連続して形成されている。つまり、屋内側リップ部１４ｂは、図６の（ａ）および（ｂ）に示すように、ガスケット本体１１の屋内側の端部から２つの外壁パネル１に向けて延伸しており、かつ、シールリップ部１４ａおよび屋内側リップ部１４ｂの根元付近は他の部分よりも剛性が高くなっている。
【００４８】
そのため、目地ガスケット３０の目地２への挿入開始後、ガスケット本体１１が目地２の内部を移動して屋内側リップ部１４ｂの全体が目地２の内部を通過した時点で、屋内側リップ部１４ｂは、図６の（ｂ）に示すように、外壁パネル１の裏面ＳＵＦ２側の空間内で元の状態に確実に復元する。これは、屋内側リップ部１４ｂの根元がシールリップ部１４ａの根元と略同じ位置に形成されていて、その根元付近は他の部分よりも厚肉で剛性が高いことから、屋内側リップ部１４ｂの状態がシールリップ部１４ａの撓み等による影響を略受けないためである。よって、元の状態に復元した屋内側リップ部１４ｂが外壁パネル１の裏面ＳＵＦ２に確実に引っ掛かるため、目地ガスケット３０の屋外への飛び出しが抑制される。また、シールリップ部１４ａは、その屋外側の部分が外壁パネル１の側面ＳＵＦ１に柔軟に弾設してシールする。
【００４９】
さらに、端面ＳＵＦ３がガスケット本体１１の矩形部分の断面よりも幅広になっていることから、目地ガスケット３０を目地２に挿入した際、ガスケット本体１１の屋内側の端部が目地２によって規制され易い。また、屋内側リップ部１４ｂの根元付近の剛性が高くなっていることから、ガスケット本体１１が目地２の内部を移動する際、屋内側リップ部１４ｂが姿勢を崩すことがない。
【００５０】
そのため、目地ガスケット３０の目地２への挿入開始後、ガスケット本体１１が目地２の内部を移動して屋内側リップ部１４ｂの全体が目地２の内部を通過するまで、目地ガスケット３０を目地２に対して格別に慎重な取り扱いをしなくても、転びが発生し難く、かつ力強く押し込むことができる。よって、目地ガスケット３０の目地２への取り付け作業が容易になる。
【００５１】
〔まとめ〕
本発明の一態様に係る目地ガスケットは、互いに隣り合う２つの外壁パネルの間に形成される目地に配置され、ガスケット本体と、前記ガスケット本体における屋外側の端部から前記２つの外壁パネルに向けて延伸する、前記目地をシールするためのシール部と、を備えた目地ガスケットであって、前記ガスケット本体における屋内側には、前記２つの外壁パネルに向けて延伸するリップ部が設けられており、前記リップ部は、前記目地ガスケットが前記目地に配置された状態において、弾性変形して前記外壁パネルの側面に接触するシールリップ部と、前記外壁パネルの裏面よりも屋内側に配置される屋内側リップ部とを有している構成である。たとえば、前記シールリップ部と、前記屋内側リップ部とは、前記リップ部の先端付近において枝分かれする構成とすることもできる。
【００５２】
前記構成によれば、目地ガスケットが目地に配置された状態で、リップ部のシールリップ部が外壁パネルの側面に接触する。このため、目地ガスケットは、その延伸方向に沿って途切れることなく一連にシール性に優れる。また、前記構成によれば、目地ガスケットを目地に挿入する過程において、リップ部のシールリップ部は、その端部を屋外側に向けてしなやかに弾性変形する。また、屋内側リップ部の端部の外壁パネルの側面への接触に連動して、シールリップ部の端部はガスケット本体へ近づくため、外壁パネルの側面に接触しないか、または、たとえ接触したとしても外壁パネルの側面への接触圧が小さくなる。これにより、シールリップ部のシール性を確実にする目的でシールリップ部を長くしたとしても、目地ガスケットは挿入性に優れる。
【００５３】
また、前記構成によれば、目地ガスケットが目地に配置された状態で、目地ガスケットに対する屋外側への力（経年での飛び出しに影響する力）に対して、リップ部の屋内側リップ部の端部が、外壁パネルの裏面に当接することで抵抗力が働き、目地ガスケットの屋外への飛び出しが抑制される。このため、目地ガスケットは飛び出し防止性に優れる。以上により、前記構成によれば、挿入性、シール性および飛び出し防止性に優れる目地ガスケットを提供することができる。
【００５４】
本発明の一態様に係る目地ガスケットは、前記屋内側リップ部の長さが、前記シールリップ部の長さよりも短いことが好ましい。前記構成によれば、外壁パネルの裏面への屋内側リップ部の端部の引っ掛かりが強くなるため、目地ガスケットの飛び出し防止性をより向上させることができる。
【００５５】
また、上述した、目地へ挿入する際の第３リップ部の動作のとおり、屋内側リップ部の先端が外壁パネルの裏面へ到達し、第３リップ部が外壁パネルの側面から開放されて広がる際、シールリップ部は側面と接触する位置、つまり屋内側リップ部より屋外側に位置している必要があり、この観点からも屋内側リップ部の長さは、シールリップ部の長さよりも短いことが好ましい。
【００５６】
本発明の一態様に係る目地ガスケットは、前記屋内側リップ部の肉厚が、前記シールリップ部の肉厚と比較して同等、または前記シールリップ部よりも厚いことが好ましい。前記構成によれば、屋内側リップ部の肉厚がシールリップ部の肉厚と比較して同等の場合、屋内側リップ部自体が撓み易くなる。そのため、目地ガスケットの目地への挿入時において、シールリップ部と屋内側リップ部とが外壁パネルの側面と屋内外方向に広がって接触し、ガスケット本体の目地内部における位置が安定化する。よって、目地ガスケットの目地への挿入時における転びを発生し難くすることができる。
【００５７】
また、前記構成によれば、屋内側リップ部の肉厚がシールリップ部の肉厚よりも厚い場合、外壁パネルの裏面への屋内側リップ部の端部の引っ掛かりが強くなるため、目地ガスケットの飛び出し防止性をより向上させることができる。また弾接によるシール性が要求されるシールリップ部は、柔軟さがある程度に薄肉である方が望ましい。
【００５８】
本発明の一態様に係る目地ガスケットは、前記ガスケット本体と、前記リップ部とのなす角が直角以下であって鋭角であることが好ましい。前記構成によれば、ガスケット本体とリップ部とのなす角が鋭角以外の場合と比較して、目地ガスケットの挿入性をより向上させることができる。また、屋内側リップ部の端部が外壁パネルの裏面へ引っ掛かりやすくなる。
【００５９】
本発明の一態様に係る目地ガスケットは、前記シールリップ部と、前記屋内側リップ部とのなす角が直角以下であって鋭角であることが好ましい。前記構成によれば、屋内側リップ部の端部が、外壁パネルの裏面に引っ掛かり易くなり、また、屋内側リップ部の端部が、外壁パネルの裏面に引っ掛かり易くなるため、目地ガスケットの飛び出し防止性をより向上させることができる。
【００６０】
〔付記事項〕
本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００６１】
ここで、ガスケット本体１１における屋外側の端部から２つの外壁パネル１に向けて延伸する第１リップ部１２を、目地ガスケット１０が目地２に配置された状態において、弾性変形して外壁パネル１の側面に接触してシールする構成で説明したが、第１リップ部１２は、目地２内に挿入されることなく、外壁の屋外側側面に覆い被さる状態で目地２の外観を整え、また、シールするよう配置される状態であってもよい。
【００６２】
また、リップの枝分かれ構造を有する屋内側の第３リップ部１４は、ガスケット本体１１の屋内側の端部から突出されている必要はなく、シール性と引っ掛かりの機能が果たせるのであれば第１リップ部１２より屋内側であればよい。
【符号の説明】
【００６３】
１        外壁パネル
２        目地
１０、３０  目地ガスケット
１１        ガスケット本体
１２        第１リップ部（シール部）
１３        第２リップ部
１４        第３リップ部（リップ部）
１４ａ      シールリップ部
１４ｂ      屋内側リップ部
θ１        角度
θ２        角度
ｄ１        厚さ
ｄ２        厚さ
Ｌ１        長さ
Ｌ２        長さ
ＳＵＦ１      側面
ＳＵＦ２      裏面
【図１】
2020020255.tif 000003
【図２】
2020020255.tif 000004
【図３】
2020020255.tif 000005
【図４】
2020020255.tif 000006
【図５】
2020020255.tif 000007
【図６】
2020020255.tif 000008